(57)【要約】【課題】  取り付けの際に、壁面を傷つけることなく、コーナー壁面へ簡単に取り付ける事ができるコーナー用のつっぱり棒である。また、コーナー棚のように使用するつっぱり棒を提供する。【解決手段】  壁面が交差するコーナー部に使用するつっぱり棒であって、両端固定部をつっぱり、落ちにくくする為の摩擦部材と、コーナーの壁面に対して、筒（又は箱）状形状をした、圧力をかける為の伸縮部と、伸縮部を操作するためのハンドル部と、を有し、前記摩擦部材は、壁面に対して常に平行となり、摩擦部材の面ともう一方の摩擦部材の面は、従来のつっぱり棒のように平行ではなく、９０°となるつっぱり棒。【選択図】図１
2014073339.tif 000002
【特許請求の範囲】
【請求項１】
壁面が交差するコーナー部に使用するつっぱり棒であって、両端固定部をつっぱり、落ちにくくするための摩擦部材と、コーナーの壁面に対して、筒、または箱状形状をした、圧力をかけるための伸縮部と、伸縮部を操作するためのハンドル部とを有し、前記摩擦部材は、壁面に対して常に平行となり、摩擦部材の面ともう一方の摩擦部材の面は、従来のつっぱり棒のように平行ではなく９０°となるつっぱり棒。
【請求項２】
壁面が交差するコーナー部に使用するつっぱり棒であって、両端固定部をつっぱり、落ちにくくするための摩擦部材と、コーナーの壁面に対して、筒、または箱状形状をした、圧力をかけるためのバネとを有し、前記摩擦部材は、壁面に対して常に平行となり、摩擦部材の面ともう一方の摩擦部材の面は、従来のつっぱり棒のように平行ではなく９０°となるつっぱり棒。
【請求項３】
請求項１、または請求項２のいずれか１において、摩擦部材の面ともう一方の摩擦部材の面が９０°だけでなく、角度を可動可能としたつっぱり棒。
【請求項４】
請求項１から請求項３のいずれか１において、両端固定部の固着手段は両面テープからなるつっぱり棒。
【請求項５】
請求項１から請求項３のいずれか１において、両端固定部の固着手段は吸盤からなるつっぱり棒。
【請求項６】
請求項１から請求項５のいずれか１において、複数のつっぱり棒を連結させて、コーナー棚のように使用するつっぱり棒。
【発明の詳細な説明】
【技術分野】
【０００１】  本発明は、壁面が交差するコーナー部において、釘やビスなどの取り付け加工を行わず、壁を傷つけずに簡単に取り付けることを特徴としたコーナー用のつっぱり棒に関するものである。
【背景技術】
【０００２】  従来より、平行な壁面に対して取り付けるつっぱり棒や、つっぱり棒を複数使用し、棚として使用するつっぱり棒が知られている。【０００３】  この種のつっぱり棒としては、平行な壁面にしか使用することができず、コーナー棚として使うには、コーナーに棚を形成する直角三角形の土台に対して直角を挟む二辺に釘を打ち込んだり、フランジ部を設けて、フランジ部をビス等で壁面に固定する方法がある（たとえば、特許文献１）。
【先行技術文献】
【特許文献】
【０００４】
【特許文献１】  特開２００８−４８７７８号公報
【特許文献２】  実願平３−７５９６２号公報
【発明の概要】
【発明が解決しようとする課題】
【０００５】  しかしながら、従来のコーナー棚の取り付け方法では、ビス等で壁面に穴を開けるため、加工の際の手間がかかったり、不要の際に取り外すと、壁面の傷が残ることとなる。【０００６】  本発明は、上記問題点に鑑みてなされたもので、壁に加工傷を付けることなく、取り付けが容易であるとともに、取付場所がコーナー部であれば自由に設定でき、つっぱり棒やコーナー棚として使用するつっぱり棒を提供することを目的とする。【０００７】  上記課題を解決し上記目的を達成するために、本発明のうち第１の態様に係るものは、壁面が交差するコーナー部に使用するつっぱり棒であって、両端固定部をつっぱり、落ちにくくするための摩擦部材とコーナーの壁面に対して、筒、または箱状形状をした、圧力をかけるための伸縮部（外筒と中筒）と、伸縮部（外筒と中筒）を可動させるためのハンドル部と、を有し、前記摩擦部材は壁面に対して常に平行となり、摩擦部材の面ともう一方の摩擦部材の面は、従来のつっぱり棒のように平行ではなく９０°となるものである。【０００８】  本発明によれば、両端固定部により、コーナー用のつっぱり棒を取り付け、取り外すことができるので、取り付け、取り外しが容易であるとともに、取り付ける際に壁に穴等をあけないので、見栄え良く取り付けることができる。
また、取り付け場所を自由に設定できるので、子供の手の届かない場所に取り付ける等、コーナーであれば、好きな空間に自由に取り付けることができる。【０００９】  本発明のうち第２の態様に係るものは、壁面が交差するコーナー部に使用するつっぱり棒であって、両端固定部をつっぱり、落ちにくくするための摩擦部材と、コーナーの壁面に対して、筒、または箱状形状をした、圧力をかけるためのバネと、を有し、前記摩擦部材は、壁面に対して常に平行となり、摩擦部材の面ともう一方の摩擦部材の面は、従来のつっぱり棒のように平行ではなく９０°となるものである。【００１０】  本発明によれば、第１の態様の引き戸のロック装置と同様の作用効果を奏する。【００１１】  本発明のうち第３の態様に係るものは、第１、または第２の態様に係るつっぱり棒において、両端固定部の摩擦部材の面ともう一方の摩擦部材の面が９０°だけでなく角度を可動可能としたものである。【００１２】  本発明によれば、９０°のコーナーだけでなく角度のついた隙間にも取り付け可能となる。【００１３】  本発明のうち第４の態様に係るものは、第１から第３の態様に係るつっぱり棒において、両端固定部の固着手段は両面テープからなるものである。【００１４】  本発明によれば、つっぱり棒の性能に加え、補助的に両面テープを使用することで、両端固定部に、より強力な固着力が働くものである。【００１５】  本発明のうち、第５の態様に係るものは、第１から第３の態様に係るつっぱり棒において、両端固定部の固着手段は吸盤からなるものである。【００１６】  本発明によれば、つっぱり棒の性能に加え、補助的に吸盤を使用することで、両端固定部に、より強力な固着力が働き、浴室などでの使用が期待できる。【００１７】  本発明のうち第６の態様に係るものは、第１から第５の態様に係るつっぱり棒において、複数のつっぱり棒を連結させて、コーナー棚のように使用するものである。【００１８】  本発明によれば、複数のつっぱり棒を連結させて使用することにより、積載面積を増やし、壁面への保持力も増すことができる。
【発明の効果】
【００１９】  本発明によれば、コーナー壁に加工傷を付けることなく、取り付け取り外しが容易にできる。
また、コーナー部であれば取付場所を自由に設定できる。
【図面の簡単な説明】
【００２０】
【図１】  本発明の第一の実施形態におけるコーナー用のつっぱり棒の正面斜視図である。
【図２】  同コーナー用のつっぱり棒の横断平面図である。
【図３】  同コーナー用のつっぱり棒の使用状態を示した平面図である。
【図４】  本発明の第二の実施形態におけるコーナー用のつっぱり棒の正面の斜視図である。
【図５】  同コーナー用のつっぱり棒の横断平面図である。
【図６】  固定部の角度を可動可能とした固定部の平面図である。
【図７】  両面テープを固着手段として用いた固定部の平面図である。
【図８】  吸盤を固着手段として用いた固定部の平面図である。
【図９】  本発明の第一、第二の実施形態における、コーナー用のつっぱり棒を連結させた方法の一例を示した説明図である。
【発明を実施するための形態】
【００２１】  本発明のコーナー用のつっぱり棒の第一の実施形態について、図面を参照しながら説明する。
ここで、図１は、本発明の第一の実施形態におけるコーナー用のつっぱり棒１の正面斜視図である。
図２は、同コーナー用つっぱり棒の横断平面図である。
図３は、同コーナー用のつっぱり棒の使用状態を示した平面図である。
【００２２】  図１、及び図２に示すように、第一の実施形態に係るコーナー用のつっぱり棒１は、外筒２と、中筒３と、ハンドル部４と、突起５と、コイルスプリング６と、コイルスプリング固定ピン７と、固定部回転防止用連結棒８と、固定部９ａ、固定部９ｂと、摩擦部材１０ａ、摩擦部材１０ｂを有する。
なお、コーナー用のつっぱり棒１の伸縮部分においては、基本的なつっぱり棒の構造と同様のものであり、ハンドル部分を回して壁をつっぱる構造のものであれば、特に限定はしない。
【００２３】  外筒２は、内側にスライド自在に挿入された中筒３を有し、ハンドル部４を回転させることで、中筒３の先端を変形させた突起５が、コイルスプリング６の螺旋部に沿って移動するため、ボルトとナットの要領で、外筒２と中筒３は相対的に軸方向に移動し、コーナー用のつっぱり棒の長さを調整することができる。
ここで、コイルスプリング固定ピン７はコイルスプリング６のストッパーの役目を果たす。
なお、ハンドル部は、摩擦、または加工により外筒２と一体化したものであり、ハンドル部４を回転することで外筒２も回転するが、図１のように十字形状でなく、ゴムなどの摩擦抵抗が高いキャップのようなもので、外筒２と分離させても問題ない。
また、コイルスプリング６の材質は金属を使用し、その他はいずれも樹脂を材料として製造したが、これに限らず金属等、他の材料を使って製造するものであってもよい。
【００２４】  固定部回転防止用連結棒８は、固定部９ａと固定部９ｂの壁面との接触面が、お互い常に９０°となるためのガイドである。
これは、外筒２と中筒３の回転によって固定部９ａと固定部９ｂがねじれの状態となり、取り付けの際に、固定部９ａと固定部９ｂの壁面との接触面を、お互い常に９０°に合わせるわずらわしさを解消させるためのものであるが、なくても機能的な問題はない。
固定部９ａ、固定部９ｂはつっぱり棒からの力を壁面に伝え、落下しないようにつっぱる部分である。
本実施例では三角形のものを図１、図２で載せているが、壁面に平行な板を、外筒２と中筒３の壁面側を４５°カットした面に取り付けるなど、固定部９ａと固定部９ｂの壁面との接触面が９０°となる形状であれば特に限定はしない。
いずれも樹脂を材料として製造したが、これに限らず、他の材料を使って製造するものであってもよい。
【００２５】  摩擦部材１０ａ、摩擦部材１０ｂは、固定部９ａ、固定部９ｂの壁面側に取り付け、コーナー用のつっぱり棒１の固着力をより強力なものとするためのものである。
材質はスポンジゴムを使用して製造したが、これに限らず、ゴムやエラストマ等、他の材料を使って製造するものであってもよい。
【００２６】  次に、図３を用いて使用方法の説明を行う。
ここで、図３は同コーナー用のつっぱり棒の使用状態を示した平面図である。
取り付け方法としては、摩擦部材１０ａ、摩擦部材１０ｂが図３のように壁面とぴったり合うように支える。
その後、コーナー用のつっぱり棒１を延長させる方向にハンドル部４を回転させると、外筒２と中筒３の軸方向への相対的な移動により、摩擦部材１０ａ、摩擦部材１０ｂがコーナー壁面２２に押し付けられ、変形させることで固定する。
このとき、摩擦部材１０ａ、摩擦部材１０ｂとコーナー壁２２をぴったり合わせずに、コーナー用のつっぱり棒１を延長させる方向にハンドル部４を回転させても、コーナー壁面２２に対して、コーナー用のつっぱり棒１を固定させる方向に力が伝わらず、コーナー用つっぱり棒１がコーナー壁面２２から落下してしまうので、目視で確認しながらの取り付けが重要となる。
【００２７】  取り付け後は、コーナー用のつっぱり棒１１にハンガー等をかけて洗濯物を干したり、ビニール袋をかけてゴミ箱代わりにするといった使い方ができる。
【００２８】  次に図４、図５を用いて、本発明のコーナー用のつっぱり棒１についての、第二の実施形態を説明する。
ここで、図４は、本発明の第二の実施形態におけるコーナー用のつっぱり棒の正面斜視図であり、図５は、同コーナー用のつっぱり棒の横断平面図である。
これまで、ハンドル部４を回転させることで、中筒３の先端を変形させた突起５が、コイルスプリング６の螺旋部に沿って移動し、固定部９ａ、固定部９ｂへ力を伝える構造を説明したが、外箱１２と中箱１３を、外箱１２内の連結用コイルスプリング１４で繋ぎ、連結用コイルスプリング１４を圧縮し、その復元力を利用して固定部９ａ、固定部９ｂへ力を伝えるという方法もある。
このように、固定部９ａ、固定部９ｂへの力を伝える方法については、特に限定はしない。
なお、コーナーへの取り付け方法は、連結用コイルスプリング１４を圧縮方向へ力を加えた後は、第一の実施形態と同様に、摩擦部材１０ａ、摩擦部材１０ｂを壁面とぴったり合わせ、手を離すだけで取り付け完了となる。
なお、図５では連結用コイルスプリング１４を２個として作製したが、１個としても問題はなく、また、これを複数としてＡ、Ｂ方向に積載面積を延長し、コーナー棚のように使用することも可能である。
【００２９】  図６は、固定部の角度を可動可能とした固定部の平面図である。
これまで説明した、固定部９ａ、固定部９ｂを可動固定部１５のように可動させることにより、従来のつっぱり棒のように、平行な壁面に使用したり、コーナーだけでなく、角度のついた壁面にも取り付け可能な形状としたものである。
【００３０】  図７は、両面テープを固着手段として用いた固定部の平面図である。
これは、これまで説明したコーナー用のつっぱり棒１の固定部９ａ、固定部９ｂ、または摩擦部材１０ａ、摩擦部材１０ｂに両面テープ１６を貼り付けることで、より強力な固着手段をもたせたものである。
【００３１】  図８は、吸盤を固着手段として用いた固定部の平面図である。
これは、これまで説明したコーナー用のつっぱり棒１の固定部９ａ、固定部９ｂに一体、または分離可能な吸盤１７を取り付けたものである。
これにより、浴室などの滑りやすい場所にも適した、より強力な固着手段をもたせることを可能としている。
【００３２】  図９は、本発明の第一、第二の実施形態における、コーナー用のつっぱり棒１を複数連結させた方法の一例である。
このように、これまで説明したコーナー用のつっぱり棒１を連結棒１８で複数つなぎ、積載面積を増やして、コーナー棚のように使用するものである。
なお、図９のように固定部９ａを固定部（大）１９のように大きくして、複数のコーナー用のつっぱり棒１をつなぎ、もう一方の固定部（小）２０、固定部（小）２１（固定部はコーナー用のつっぱり棒１と同数）を別のものとしたが、固定部（大）１９をコーナー用のつっぱり棒１と同数としたり、固定部（小）２０、固定部（小）２１（固定部はコーナー用のつっぱり棒と同数）を１つにしても問題はない。
【００３３】  今回、開示された実施の形態は、全ての点で例示であって、制限的なものではないと考えられるべきである。
本発明の範囲は、上記した説明ではなくて、特許請求の範囲によって示され、特許請求の範囲と均等の意味、および範囲内での全ての変更が含まれることが意図される。
【符号の説明】
【００３４】１  コーナー用のつっぱり棒
２  外筒
３  中筒
４  ハンドル部
５  突起
６  コイルスプリング
７  コイルスプリング固定ピン
８  固定部回転防止用連結棒
９ａ  固定部
９ｂ  固定部
１０ａ  摩擦部材
１０ｂ  摩擦部材
１１  コーナー用のつっぱり棒
１２  外箱
１３  中箱
１４  連結用コイルスプリング
１５  可動固定部
１６  両面テープ
１７  吸盤
１８  連結棒
１９  固定部（大）
２０  固定部（小）
２１  固定部（小）
２２  コーナー壁
【図１】
2014073339.tif 000003
【図２】
2014073339.tif 000004
【図３】
2014073339.tif 000005
【図４】
2014073339.tif 000006
【図５】
2014073339.tif 000007
【図６】
2014073339.tif 000008
【図７】
2014073339.tif 000009
【図８】
2014073339.tif 000010
【図９】
2014073339.tif 000011